(57)【要約】      （修正有）【課題】釣り人の足の甲にアッパーを押しつけて、フィットさせるための締め付けベルトを備えた釣り用フットウエアを提供する。【解決手段】鮎タビ２は、本体４、内側バックル、外側バックル８、内側固定ベルト、外側固定ベルト１２及び締め付けベルト１４を備えている。本体４は、ソール１６、アッパー１８及びカバー２０を有している。内側固定ベルトは、内側バックルを通されている。内側固定ベルトは、内側バックルにおいて折り返されている。外側固定ベルト１２は、外側バックル８を通されている。外側固定ベルト１２は、外側バックル８において折り返されている。内側固定ベルトは、第一層とこの第一層を覆う第二層とを有し、外側固定ベルト１２も、第一層とこの第一層を覆う第二層とを有しており、多層構造により破断しにくくなっている。【選択図】図１
0003182619.tif 000002
【実用新案登録請求の範囲】
【請求項１】
ソール及びアッパーを有する本体と、上記アッパーを締め付けるための締め付けベルトと、上記締め付けベルトを上記本体に固定するための固定ベルトとを備えており、
上記固定ベルトが、第一層とこの第一層を覆う第二層とを有している釣り用フットウエア。
【請求項２】
上記第一層がポリプロピレンを基材とする樹脂組成物からなる請求項１に記載のフットウエア。
【請求項３】
上記第二層がナイロンを基材とする樹脂組成物からなる請求項１又は２に記載のフットウエア。
【請求項４】
上記第二層の材質が、上記第一層の材質よりも耐摩耗性に優れている請求項１から３のいずれかに記載のフットウエア。
【請求項５】
上記第一層と上記第二層とが、接着剤で接合されている請求項１から４のいずれかに記載のフットウエア。
【考案の詳細な説明】
【技術分野】
【０００１】
本考案は、釣り人に着用されるフットウエアに関する。詳細には、本考案は、釣り人の足の甲にアッパーを押しつけてフィットさせるための締め付けベルトを備えたフットウエアに関する。
【背景技術】
【０００２】
鮎釣りでは、釣り人は体が水につかった状態で釣りを行う。釣り人は、鮎タビを履いて釣りを行う。この鮎タビは、アッパー、固定ベルト、バックル及び締め付けベルトを備えている。アッパーは、ポリクロロプレンを基材とする発泡体である。固定ベルトは、アッパーに縫い付けられている。この固定ベルトにより、アッパーにバックルが固定されている。このバックルに、締め付けベルトが掛けられる。この締め付けベルトが締められることにより、アッパーが釣り人の足の甲に押しつけられる。この押しつけにより、釣り人はフィット感を得られる。締め付けベルトを有するタビを備えたウエーダーが、特開２０１１−９４２５７公報に開示されている。
【０００３】
鮎釣りでは、釣り人は川の中を歩く。川底には、多数の石が存在している。この石と擦れ合うことにより、締め付けベルトが摩耗する。摩耗の進行により、締め付けベルトが破断する。釣り人は、破断する前の段階で、締め付けベルトをバックルから外し、新しい締め付けベルトをバックルに掛ける。換言すれば、この締め付けベルトは、交換タイプである。交換タイプの締め付けベルトは、鮎タビの寿命を長引かせる。
【先行技術文献】
【特許文献】
【０００４】
【特許文献１】特開２０１１−９４２５７公報
【考案の概要】
【考案が解決しようとする課題】
【０００５】
鮎釣りでは、締め付けベルトのみならず、固定ベルトも石と擦れ合う。この擦れ合いにより、固定ベルトが摩耗する。摩耗の進行により、固定ベルトが破断する。前述の通り、固定ベルトはアッパーに縫い付けられているので、この固定ベルトの摩耗が進行しても、新品への交換は不可能である。固定ベルトが破断した鮎タビは、もはや使用され得ない。アッパー、ソール等の損傷が少ない場合でも、この鮎タビは廃棄される。従って、不経済である。
【０００６】
同様の問題は、ウエーダー等の、他の釣り用フットウエアでも生じている。
【０００７】
本考案の目的は、固定ベルトの破断が生じにくく、従って長期間に渡って使用されうる釣り用フットウエアの提供にある。
【課題を解決するための手段】
【０００８】
本考案に係る釣り用フットウエアは、ソール及びアッパーを有する本体と、アッパーを締め付けるための締め付けベルトと、締め付けベルトを本体に固定するための固定ベルトとを備える。この固定ベルトは、第一層とこの第一層を覆う第二層とを有している。
【０００９】
好ましくは、第一層は、ポリプロピレンを基材とする樹脂組成物からなる。好ましくは、第二層は、ナイロンを基材とする樹脂組成物からなる。
【００１０】
好ましくは、第二層の材質は、第一層の材質よりも、耐摩耗性に優れる。
【００１１】
好ましくは、第一層と第二層とは、接着剤で接合されている。
【考案の効果】
【００１２】
本考案に係るフットウエアでは、固定ベルトの第一層が擦れ合いによって損傷しても、この損傷が第二層に伝播しにくい。この固定ベルトは、破断しにくい。このフットウエアは、耐久性に優れる。
【図面の簡単な説明】
【００１３】
【図１】図１は、本考案の一実施形態に係る釣り用フットウエアとしての鮎タビが示された右側面図である。
【図２】図２は、図一の鮎タビが示された左側面図である。
【図３】図３は、図１のIII−III線に沿った断面図である。
【図４】図４は、図１の鮎タビの外側固定ベルトの一部が示された拡大断面図である。
【考案を実施するための形態】
【００１４】
以下、適宜図面が参照されつつ、好ましい実施形態に基づいて本考案が詳細に説明される。
【００１５】
図１−３に示された鮎タビ２は、本体４、内側バックル６、外側バックル８、内側固定ベルト１０、外側固定ベルト１２及び締め付けベルト１４を備えている。本体４は、ソール１６、アッパー１８及びカバー２０を有している。図３において、左側が内側（インサイド）であり、右側が外側（アウトサイド）である。
【００１６】
図３に示されるように、ソール１６は、アウトソール２２、面ファスナー２４、ミッドソール２６及びインソール２８からなる。アウトソール２２は、フェルトからなる。アウトソール２２が、ゴム組成物、樹脂組成物等からなってもよい。面ファスナー２４は、ループシート３０とフックシート３２とからなる。ループシート３０は、アウトソール２２と積層されている。ループシート３０は、接着剤によってアウトソール２２に接合されている。フックシート３２は、ミッドソール２６と積層されている。フックシート３２は、接着剤によってミッドソール２６に接合されている。ループシート３０がフックシート３２に係合することにより、アウトソール２２がミッドソール２６に固定される。アウトソール２２の摩耗が進行すると、ループシート３０がフックシート３２から外され、アウトソール２２及びループシート３０が新品に交換される。換言すれば、このアウトソール２２は、交換タイプである。交換タイプのアウトソール２２は、鮎タビの寿命を長引かせる。
【００１７】
アッパー１８は、ポリクロロプレンを基材とする発泡体である。このアッパー１８は、柔軟である。カバー２０は、ゴム組成物が架橋されることによって形成されている。このカバー２０は、アッパー１８の一部を覆っている。カバー２０はさらに、内側固定ベルト１０の一部及び外側固定ベルト１２の一部も覆っている。
【００１８】
内側バックル６は、矩形でありかつループ状である。内側バックル６は、硬質材料からなる。外側バックル８も、矩形でありかつループ状である。外側バックル８は、硬質材料からなる。内側バックル６及び外側バックル８の典型的な材料は、硬質合成樹脂又は金属である。
【００１９】
図３から明らかなように、内側固定ベルト１０は、内側バックル６を通されている。内側固定ベルト１０は、内側バックル６において折り返されている。この折り返しにより、表側部３４及び裏側部３６が形成されている。表側部３４及び裏側部３６のうちの、ソール１６に近い部分は、図示されない糸により、アッパー１８に縫い付けられている。この内側固定ベルト１０は、アッパー１８に対して容易には着脱できない。この内側固定ベルト１０により、内側バックル６がアッパー１８に固定されている。内側固定ベルト１０が、ソール１６に固定されてもよい。
【００２０】
外側固定ベルト１２は、外側バックル８を通されている。外側固定ベルト１２は、外側バックル８において折り返されている。この折り返しにより、表側部３８及び裏側部４０が形成されている。表側部３８及び裏側部４０のうちの、ソール１６に近い部分は、図示されない糸により、アッパー１８に縫い付けられている。この外側固定ベルト１２は、アッパー１８に対して容易には着脱できない。この外側固定ベルト１２により、外側バックル８がアッパー１８に固定されている。外側固定ベルト１２が、ソール１６に固定されてもよい。
【００２１】
図３から明らかなように、締め付けベルト１４の一端の近傍は、内側バックル６を通されている。この一端の近傍は、内側バックル６において折り返されている。締め付けベルト１４の他端の近傍は、外側バックル８を通されている。この他端の近傍は、外側バックル８において折り返されている。内側バックル６及び外側バックル８での押し返しにより、締め付けベルト１４には、主部４２、内側折り返し部４４及び外側折り返し部４６が形成されている。内側折り返し部４４は、主部４２の表側に積層されている。内側折り返し部４４は、図示されない面ファスナーにより、主部４２に固定されている。外側折り返し部４６は、主部４２の裏側に積層されている。外側折り返し部４６は、図示されない面ファスナーにより、主部４２に固定されている。締め付けベルト１４の材質には、制限はない。典型的には、締め付けベルト１４は、合成樹脂繊維からなる布である。合成樹脂繊維として、ポリプロピレン繊維が例示される。
【００２２】
締め付けベルト１４は、内側固定ベルト１０及び外側固定ベルト１２を介して、本体４に固定されている。締め付けベルト１４が締められることにより、この締め付けベルト１４がアッパー１８を釣り人の足の甲に押しつける。内側折り返し部４４の主部４２に対する固定位置及び外側折り返し部４６の主部４２に対する固定位置が変更されることにより、釣り人は締め付けベルト１４の締め付け力を調整できる。この締め付けベルト１４を備えた鮎タビ２は、フィット感に優れる。
【００２３】
締め付けベルト１４の摩耗が進行すると、釣り人は、この締め付けベルト１４を内側バックル６及び外側バックル８から取り外す。釣り人は、新品の締め付けベルト１４を、内側バックル６及び外側バックル８に取り付ける。
【００２４】
図４には、内側固定ベルト１０の一部が示されている。この内側固定ベルト１０は、第一層４８及び第二層５０を備えている。この内側固定ベルト１０はさらに、接着層５２を備えている。接着層５２により、第二層５０が第一層４８に接合されている。第二層５０は、第一層４８を覆っている。
【００２５】
この鮎タビ２の使用により、内側固定ベルト１０が石と擦れ合う。この擦れ合いにより第二層５０が損傷しても、内側固定ベルト１０ベルトが二層構造であるため、この損傷が第一層４８に伝播しにくい。この内側固定ベルト１０は、破損しにくい。この内側固定ベルト１０は、鮎タビ２の長寿命に寄与する。
【００２６】
典型的には、第一層４８は、合成樹脂繊維からなる布である。合成樹脂繊維として、ポリプロピレン繊維が例示される。この第一層４８を備えた内側固定ベルト１０は、強度に優れる。
【００２７】
図４において矢印Ｔ１で示されているのは、第一層４８の厚みである。内側固定ベルト１０の強度の観点から、厚みＴ１は０．３ｍｍ以上が好ましく、０．５ｍｍ以上が特に好ましい。内側固定ベルト１０の柔軟性の観点から、厚みＴ１は５ｍｍ以下が好ましく、３ｍｍ以下が特に好ましい。
【００２８】
第二層５０の材質として、ナイロン、ポリプロピレン等の合成樹脂及び架橋ゴムが挙げられる。好ましくは、第二層５０の材質は、第一層４８の材質よりも、耐摩耗性に優れている。典型的には、第二層５０は、合成樹脂繊維からなる布である。合成樹脂繊維として、ナイロン繊維が例示される。この第二層５０を備えた内側固定ベルト１０は、耐摩耗性に優れる。
【００２９】
図４において矢印Ｔ２で示されているのは、第二層５０の厚みである。内側固定ベルト１０の耐摩耗性の観点から、厚みＴ２は０．０５ｍｍ以上が好ましく、０．１０ｍｍ以上が特に好ましい。内側固定ベルト１０の柔軟性の観点から、厚みＴ２は５ｍｍ以下が好ましく、３ｍｍ以下が特に好ましい。
【００３０】
外側固定ベルト１２の構成、材質及び厚みは、内側固定ベルト１０のそれらと同等である。従って、この外側固定ベルト１２も、鮎タビ２の長寿命に寄与する。
【００３１】
内側固定ベルト１０を有し、外側固定ベルト１２を有さない鮎タビでも、内側固定ベルト１０が二層構造とされることにより、この鮎タビの耐久性が高められ得る。内側固定ベルト１０を有さず、外側固定ベルト１２を有する鮎タビでも、外側固定ベルト１２が二層構造とされることにより、この鮎タビの耐久性が高められ得る。
【産業上の利用可能性】
【００３２】
以上説明された固定ベルトは、鮎タビのみならず、ウェーダー、磯靴等の種々の釣り用フットウエアに用いられうる。
【符号の説明】
【００３３】
２・・・鮎タビ
４・・・本体
６・・・内側バックル
８・・・外側バックル
１０・・・内側固定ベルト
１２・・・外側固定ベルト
１４・・・締め付けベルト
３４、３８・・・表側部
３６、４０・・・裏側部
４２・・・主部
４４・・・内側折り返し部
４６・・・外側折り返し部
４８・・・第一層
５０・・・第二層
５２・・・接着層
【図１】
0003182619.tif 000003
【図２】
0003182619.tif 000004
【図３】
0003182619.tif 000005
【図４】
0003182619.tif 000006